(57)【特許請求の範囲】
【請求項１】
筒体と、
筒体の一端に、筒体の軸に垂直であって交差点を軸に一致させて配した十字線体と、
十字線体から下垂させた重りと、
筒体の他端に、筒体の軸と略４５度に傾けて内装させた鏡体と、
鏡体により反射された前記一端側の光景を見るために筒体側周にあけた覗き窓と、
を具備し、
覗き窓から観測される測定対象の枝の所定箇所の鉛直下の位置を、当該箇所と重りと十字線体の交差点とを一致させることにより確定可能にしたことを特徴とする樹冠測定具
【請求項２】
筒体を鉛直にしたとき、覗き窓から十字線体が垂直と水平に写るように十字線体を配したことを特徴とする請求項１に記載の樹冠測定具。
【請求項３】
伸縮可能な棒体を筒体に沿って取り付けたことを特徴とする請求項１または２に記載の樹冠測定具。
【発明の詳細な説明】
【技術分野】
【０００１】
本発明は、樹冠測定具に関し、特に、枝の先端等の所定箇所の鉛直真下の位置を特定できる樹冠測定具に関する。
【背景技術】
【０００２】
森林等における樹木の基礎データの一つに樹冠投影図が挙げられる。樹冠投影図は、幹から各方向への枝の先端までの距離を平面に投影した図であり、樹冠部分の広がりを示すものである。樹冠投影図を作成することにより、個々の樹木の枝張りや樹木の密集度がわかるので、たとえば、間伐対象を決定したり、今後の樹勢を予想したりすることが可能となる。
【０００３】
従来、樹冠投影図を作成するに当たっては、１．地表面から樹冠を見上げての目測、２．樹冠を横から見た測定、３．航空写真や衛星画像からの測定、などの方法がとられてきた。
【０００４】
しかしながら、目測では、測定者による誤差が大きいという問題点があった。特に、斜面において測定する場合は、枝の先端の鉛直真下が把握しにくいという問題点があり、幹と枝の先端との距離に数メートルも誤差が生じてしまう場合があった。また、木々が重なっている場合は、見通しがききにくく、横から常には樹冠が測定できないという問題点があった。また、上空からの写真や画像を用いる場合は、高木の下の低木の枝張りが把握しづらく、また、解像度に由来する判別の困難性がつきまとうという問題点があった。
【先行技術文献】
【特許文献】
【０００５】
【特許文献１】特開２００７−６６０５０号公報
【特許文献２】ＷＯ２００７／０６９７３６
【発明の概要】
【発明が解決しようとする課題】
【０００６】
本発明は上記に鑑みてなされたものであって、簡便な樹冠測定を可能とすることを目的とする。
【課題を解決するための手段】
【０００７】
請求項１に記載の樹冠測定具は、筒体と、筒体の一端に、筒体の軸に垂直であって交差点を軸に一致させて配した十字線体と、十字線体から下垂させた重りと、筒体の他端に、筒体の軸と略４５度に傾けて内装させた鏡体と、鏡体により反射された前記一端側の光景を見るために筒体側周にあけた覗き窓と、を具備し、覗き窓から観測される測定対象の枝の所定箇所の鉛直下の位置を、当該箇所と重りと十字線体の交差点とを一致させることにより確定可能にしたことを特徴とする。
【０００８】
すなわち、請求項１に係る発明は、測定者が頻繁に上空を見上げなくても、樹冠測定具を立てて覗き窓を見、対象（例えば枝の先端）と十字線体と重りとが一致する場所を簡便に探すことができる。これにより容易に対象の真下の位置を確定でき、簡便な樹冠測定が可能となる。
【０００９】
なお、十字線体は、直角に交差する場合の他、ねじれの位置であっても良い。使用の態様により、９０度以外の角度で交差したものであっても良い。また、十字線体は、紐やワイヤーにより構成することができるが、視認性を阻害しないのであれば、幅のあるものを用いても良い。
【００１０】
重りは十字線体の交差点から適宜紐でつるすことができる。また、揺れを早く収束させるために、重りの直近上部にねじれの位置関係に縦振れ規制紐と横揺れ規制紐とを筒体内側に設けるようにしても良い。
【００１１】
請求項２に記載の樹冠測定具は、請求項１に記載の樹冠測定具において、筒体を鉛直にしたとき、覗き窓から十字線体が垂直と水平に写るように十字線体を配したことを特徴とする。
【００１２】
請求項２に係る発明は、十字線に沿って、重りの振れが大きくならないようにして筒体を垂直に直感的に素早く立てることが可能となる。詳細には、筒体を鉛直から若干傾けて、重りを筒体内部に当接させて静止させた状態から、覗き窓を見ながら重りが十字線に沿うように安定的に交差点まで筒体を起こすという、直感的な姿勢制御が可能となる。なお、垂直と水平とは、縦と横と言い換えることができ、垂直な線は軸と平行に投影されることを意味する。
【００１３】
請求項３に記載の樹冠測定具は、請求項１または２に記載の樹冠測定具において、伸縮可能な棒体を筒体に沿って取り付けたことを特徴とする。
【００１４】
請求項３に係る発明は、可搬性に優れ、また、幹と測定点との距離を測定する際の操作性に優れる樹冠測定具を提供可能となる。詳細には、移動時には嵩張らず、また、距離測定時には、筒体を中空で持ち続けることなく、樹冠測定具を接地および固定が可能となる。特に、斜面では、斜面の上側と斜面の下側とで、測定者の目の高さが異なるが、伸縮可能な棒体を用いることにより、筒体を付け替えることなく、また、無理な姿勢をせずに測定が可能となり、利便性および操作性が向上する。棒体は白赤で塗り分けてスケールとして用いることもできる。また、棒体は、鏡の裏側に沿わせるようにすれば、位置決めの際にも邪魔にならず、また、幹から対象となる枝をなぞるようにして筒体を起こしつつ、覗き窓を見ながらの位置決めが可能となる。
【発明の効果】
【００１５】
本発明によれば、幹から枝の先端までの距離測定を容易化し、簡便な樹冠測定を実現する樹冠測定具を提供できる。
【図面の簡単な説明】
【００１６】
【図１】樹冠測定具の部分断面図および平面図である。
【図２】樹冠測定具を用いた樹冠測定の概要図である。
【図３】樹冠測定具を鉛直に立てて上空の枝の先端が写り込んだ際の鏡像（投影像）の概念図である。
【図４】８方向の枝張り測定位置を結んで描画した樹冠投影図の例である。
【発明を実施するための形態】
【００１７】
以下、本発明の実施の形態を図面を参照しながら詳細に説明する。
図１は、本発明の樹冠測定具の部分断面図および平面図である。図２は、樹冠測定具を用いた樹冠測定の概要図である。
【００１８】
図１および図２示したように、樹冠測定具１００は、パイプ２００と、伸縮可能なスケール３００と、を主要な構成としている。パイプ２００の上部には、その交差点Ｐがパイプ２００の軸に一致するように十字線２０１が張られ、その交差点Ｐから重り２０２が糸２０３を介して接続されている。また、パイプ２００の下部には、鏡２０４が４５度の角度で取り付けられ、パイプ２００の側面には覗き窓２０５を設けて鏡２０４に写る上空の光景を視認可能にしている。
【００１９】
パイプ２００は、外形６ｃｍ内径５．５ｃｍ、長さ６０ｃｍの塩化ビニル製であり、十字線２０１は、太さ１ｍｍのピアノ線であって、パイプの軸に対して互いに垂直となるように交差させている。糸２０３の長さは約３５ｃｍと比較的長くして、小刻みな揺れを生じにくくしている。
【００２０】
重り２０２は、特に限定されないが、たとえば、釣用の幅５ｍｍの紡錘形の重りを用いることができる。覗き窓２０５は、軸方向に６ｃｍ、横方向に４．５ｃｍの長方形にパイプ２００を切り欠いて構成している。
【００２１】
スケール３００は、上スケール３０１と下スケール３０２により構成された軽量の中空アルミニウムポールであり、上スケール３０１に下スケール３０２が収容される構成であり、それぞれの長さは約１ｍであり、また、２０ｃｍおきに赤色と白色で塗り分けられている。上スケールには取付バンド３１１が二箇所にあり、面ファスナーで捲回し、パイプ２００に固定できるようにしている。このとき、必要に応じてスケール３００とパイプ２００とが平行となるようにスペーサ等を挿入しても良い。
【００２２】
また、上スケール３０１の下端には固定レバー３１２が設けられ、固定レバー３１２を倒伏させることにより任意の位置で下スケール３０２を固定できるようにしている。下スケール３０２の下端は先端を先細りにし、必要に応じて地面に突き刺せるようにしている。
【００２３】
樹冠測定具１００は次のように使用する。まず、測定対象の樹木を決定し、幹の真南側にある対象の枝を決定し、概ねその先端に立つ。次に、その枝の先端を目ざし、樹冠測定具１００を十字線２０１を上空にして立ち上げる。覗き窓２０５を覗きながら鏡２０４に写る上空光景を見、適宜移動して交点Ｐと重り２０２と枝の先端とが一致する位置を定める。
【００２４】
なお、十字線２０１は、鏡像中で縦線と横線で表れるように配置している。重り２０２を縦線に沿わせるようにして樹冠測定具１００を起立させ、重り２０２がぶれないような、姿勢制御が可能となり、測定効率を向上させることが可能となる。
【００２５】
必要に応じて、下スケール３０２を地面に接地させ、最後に幹の中心からパイプ２００の中心までの距離を測定する（図２参照）。なお、幹の表面からの距離の場合は幹の半径を加算し、スケール３００までの距離の場合はスケールからパイプ２００の中心までの距離を加算し測定値とする。図３に、樹冠測定具を鉛直に立てて上空の枝の先端が写り込んだ鏡像（投影像）の概念図を示した。
【００２６】
この作業を、当該対象の樹木の幹を中心として、南東、真東、北東、真北、北西、真西、南西の枝の先端までの距離を順次特定し、当該樹木の樹冠の測定を終了する。対象の樹木を順次変え、同様に８点の距離を測定し、測定エリアの樹冠投影図を作成する。なお、測定に際しては上記８点の他、斜面の一番低い位置を基準とし、ここから４５°ずつ移動して８点を測定するようにしても良い。図４に、樹冠投影図の例を示した。なお、必要に応じて、樹木種別により樹冠測定図を色分けする。これにより、以降の伐採計画等の基礎資料とする。
【００２７】
樹冠測定具１００を用いることにより、目測より正確な枝張りの鉛直投影位置の測定が可能であり、樹冠を見上げる頻度を少なくできることから、斜面での計測の簡素化および省力化が可能となる。
【００２８】
本発明は上記の態様に限定されない。たとえば、スケールに関しては、下スケールに上スケールが挿入される態様であっても良いし、上スケールと下スケールの固定は、一方のスケールをねじることにより固定する態様であっても良い。また、白赤に塗り分けられたスケールの他、目盛の入った棒体であっても良く、使用の態様により、目盛のない棒体であっても良い。
【産業上の利用可能性】
【００２９】
本発明によれば、樹木の幹の生長速度を推定することが可能となり、間伐選木の際の伐倒個体あるいは残存個体を客観的に判別可能となる。また、樹冠投影図を用いた研究や樹木個体の樹冠量と幹の成長量の関係を解析するためなど、基礎的な研究に用いることができる。
【００３０】
この他、対象が樹冠でなくとも、対象物の鉛直下の位置決定をおこなうことも可能である。この場合は、本発明は樹冠測定具でなく、鉛直真下決定具と表現することもできる。
【符号の説明】
【００３１】
１００  樹冠測定具
２００  パイプ
２０１  十字線
２０２  重り
２０３  糸
２０４  鏡
２０５  覗き窓
３００  スケール
３０１  上スケール
３０２  下スケール
３１１  取付バンド
３１２  固定レバー
Ｐ        交点
【図１】
0005149370.tif 000002
【図２】
0005149370.tif 000003
【図３】
0005149370.tif 000004
【図４】
0005149370.tif 000005